(57)【特許請求の範囲】
【請求項１】
正面視で、収穫箱を含み、前記収穫箱の内部には二つのサポートロッドが前後対称にかつ回転可能に設置され、前後両側の前記サポートロッドには土かき板が固定的に取り付けられ、前後両側の前記サポートロッドの間には下方に開口した第一作動チャンバが設置され、前記第一作動チャンバの右側には第二作動チャンバが設置され、前記収穫箱の中には左方に開口した空チャンバーが設置され、前記空チャンバーの底壁の中には前記第二作動チャンバの底壁を貫通したネジ山ロッドが回転できるように取り付けられ、前記ネジ山ロッドには輸送板がネジ山により取り付けられ、前記空チャンバーの前後内壁には第三作動チャンバが連通するように設置され、前記第三作動チャンバの内部には前記輸送板がスライド可能に設置され、前記第二作動チャンバと前記第一作動チャンバとの間には前記土かき板を回転連動させると同時に前記輸送板を上下に移動させることができる動力機構が設置され、前記動力機構が前記土かき板と前記輸送板との土に入った部分の深さを調整することができ、前記土かき板が初歩的に土かきを行うことができ、それから前記輸送板により泥とじゃがいもとを前記空チャンバーの中に送り、
前記空チャンバーの中にはまた泥とじゃがいもとに輸送を行う輸送機構が設置され、前記輸送機構の下方には泥とじゃがいもとに分離を行うことができる分離機構が設置され、前記輸送機構が泥とじゃがいもとを輸送すると同時に前記分離機構を運転連動させることができ、それに前記収穫箱を移動連動させることができ、
前記動力機構は第一ベベルギアと回転ロッドと第二ベベルギアと手動棒と第三ベベルギアと第四ベベルギアとに構成され、
前記第一ベベルギアが前記ネジ山ロッドの頂面に固定的に取り付けられ、前記第二作動チャンバの左側内壁の中には前記収穫箱の左側面を貫通した前記回転ロッドが取り付けられ、前記回転ロッドの右側面には前記第二ベベルギアが固定的に取り付けられ、前記第二ベベルギアが前記第一ベベルギアと噛み合っており、前記回転ロッドの左側面には前記手動棒が固定的に取り付けられ、前記回転ロッドにおいて前記第一作動チャンバの中には前記第三ベベルギアが固定的に取り付けられ、後側の前記サポートロッドが前方に延びて前記第一作動チャンバの後側内壁を貫通し、後側の前記サポートロッドの前側面には前記第四ベベルギアが固定的に取り付けられ、前記第四ベベルギアが前記第三ベベルギアと噛み合っており、
前記土かき板と前記輸送板の土に入った部分の深さに調整を行う時に、前記手動棒を回転させて前記回転ロッドを回転連動させ、前記回転ロッドが回転して前記第三ベベルギアと前記第二ベベルギアとを回転連動させ、前記第三ベベルギアが前記第四ベベルギアにより後側の前記サポートロッドを回転連動させ、前記土かき板を回転させ、前記第二ベベルギアが前記第一ベベルギアと噛み合うことにより前記ネジ山ロッドを回転連動させ、前記ネジ山ロッドが回転して前記輸送板を上下に移動連動させ、更に前記土かき板と前記輸送板の土に入った部分の深さを調整し、
前記輸送機構はサポートチャンバーと輸送ロッドと伝動チャンバーと移動チャンバーとモーターと動力ロッドとロールと輸送ベルトとにより構成され、
前記サポートチャンバーが前記空チャンバーの底壁に連通するように設置され、前記サポートチャンバーの前後内壁の間には前記輸送ロッドが回転できるように取り付けられ、前記空チャンバーの後側には前記伝動チャンバーが設置され、前記伝動チャンバーの後側には前記移動チャンバーが設置され、前記移動チャンバーの後側内壁の中には前記モーターが固定的に取り付けられ、前記モーターの前への出力軸の前側面には前記動力ロッドが固定的に取り付けられ、前記動力ロッドが前方に延びて前記伝動チャンバーを抜け且つ前記空チャンバーの前側内壁まで貫通し、前記動力ロッドと前記輸送ロッドにおいて前記空チャンバーの中には前記ロールが固定的に取り付けられ、左右両側の前記ロールの間には前記輸送ベルトが動力が伝達できるように取り付けられ、前記動力ロッドが回転した時に、前記動力ロッドが前記第一歯車を回転連動させ、前記第一歯車が前記第一チェーンにより前記第二歯車を回転連動させ、前記第二歯車が回転して前記移動ロッドを回転連動させ、前記移動ロッドが回転して前記収穫箱を移動連動させることを特徴とする泥とじゃがいもとを初歩的に分離する掘り式のじゃがいも収穫機。
【請求項２】
前記収穫箱の前後側面の間には移動ロッドが回転できるように取り付けられ、前記移動ロッドの前後側面には移動輪が固定的に取り付けられ、前記移動ロッドにおいて前記移動チャンバーの中には第二歯車が固定的に取り付けられ、前記動力ロッドにおいて前記移動チャンバーの中には第一歯車が固定的に取り付けられ、前記第一歯車と前記第二歯車との間には第一チェーンが動力が伝達できるように取り付けられることを特徴とする請求項１に記載の泥とじゃがいもとを初歩的に分離する掘り式のじゃがいも収穫機。
【請求項３】
前記分離機構は固定ブロックとバネチャンバーとスライドブロックと第一バネと分離網と推進チャンバーと推進ブロックと第二バネとスライドチャンバーと推進機構とにより構成され、
前記固定ブロックが前記空チャンバーの前後内壁の間に固定的に取り付けられ、前記固定ブロックの中には右方に開口した前記バネチャンバーが設置され、前記バネチャンバーの中には前記スライドブロックがスライドできるように取り付けられ、前記スライドブロックの左側面と前記バネチャンバーとの間には前記第一バネが固定的に取り付けられ、前記スライドブロックには前記分離網がヒンジにより取り付けられ、前記空チャンバーの右側内壁の中には前記推進チャンバーが連通するように設置され、前記推進チャンバーの中には前記推進ブロックがスライドできるように取り付けられ、前記推進ブロックの右側面と前記推進チャンバーの右側内壁との間には前記第二バネが固定的に取り付けられ、前記推進ブロックの中には左方に開口した前記スライドチャンバーが設置され、前記分離網の右側面が前記スライドチャンバーの右側内壁と当接しており、前記推進チャンバーの上方には前記推進機構が設置されていることを特徴とする請求項１に記載の泥とじゃがいもとを初歩的に分離する掘り式のじゃがいも収穫機。
【請求項４】
前記推進チャンバーの前後内壁の間には連結ブロックが固定的に取り付けられ、前記連結ブロックが前記スライドチャンバーとスライドできるように取り付けられ、前記分離網の底面には連結チャンバーが設置され、前記連結チャンバーが前記連結ブロックとスライドできるように取り付けられ、前記分離網の頂面と前記スライドチャンバーの頂壁との間には第三バネが固定的に取り付けられることを特徴とする請求項３に記載の泥とじゃがいもとを初歩的に分離する掘り式のじゃがいも収穫機。
【請求項５】
前記サポートチャンバーの右側には分離チャンバーが設置されていることを特徴とする請求項４に記載の泥とじゃがいもとを初歩的に分離する掘り式のじゃがいも収穫機。
【請求項６】
前記推進機構はカムチャンバーと動力チャンバーと伝動ロッドとカムと第五ベベルギアと連結ロッドと第六ベベルギアと第三歯車と第四歯車と第二チェーンとにより構成され、前記カムチャンバーが前記推進チャンバーの右側に連通するように設置され、前記カムチャンバーの上方には前記動力チャンバーが設置され、前記動力チャンバーと前記カムチャンバーとの間には前記伝動ロッドが回転できるように取り付けられ、前記伝動ロッドの底面には前記カムが固定的に取り付けられ、前記伝動ロッドの頂面には前記第五ベベルギアが固定的に取り付けられ、前記動力チャンバーと前記伝動チャンバーとの間には前記連結ロッドが回転できるように取り付けられ、前記連結ロッドの前側面には前記第六ベベルギアが固定的に取り付けられ、前記第六ベベルギアが前記第五ベベルギアと噛み合っており、前記連結ロッドの後側面には前記第三歯車が固定的に取り付けられ、前記動力ロッドにおいて前記伝動チャンバーの中には前記第四歯車が固定的に取り付けられ、前記第四歯車と前記第三歯車との間には前記第二チェーンが動力が伝達できるように取り付けられることを特徴とする請求項５に記載の泥とじゃがいもとを初歩的に分離する掘り式のじゃがいも収穫機。
【請求項７】
前記収穫箱の底面には安定ロッドが固定的に取り付けられ、前記安定ロッドには安定輪が回転できるように取り付けられることを特徴とする請求項１に記載の泥とじゃがいもとを初歩的に分離する掘り式のじゃがいも収穫機。
【発明の詳細な説明】
【技術分野】
【０００１】
本願発明はじゃがいも掘り技術分野に関し、具体的には泥とじゃがいもとを初歩的に分離する掘り式のじゃがいも収穫機である。
【背景技術】
【０００２】
じゃがいもはタンパク質の栄養価値が高く、消化と吸収されやすく、じゃがいもの成長量が大きく、収穫する間に、人力で掘るのがとても困難であり、小部分のじゃがいもにしか掘りを行うことができなく、掘った後に人力的にじゃがいもと泥とを分離する必要があり、大規模にじゃがいもを植える場所では、専門的なじゃがいも収穫機を使ってじゃがいもに掘りを行い、しかし普通のじゃがいも収穫機では掘りの深さを調整しにくく、土壌の深いところのじゃがいもが掘り出されることができなく、浪費を招き、それに普通のじゃがいも収穫機が初歩的な土かきを行わなく、掘り出した泥とじゃがいもとを大きな塊の状態のままにしておき、泥とじゃがいもとを分離するのには比較的に困難である。
【先行技術文献】
【特許文献】
【０００３】
【特許文献１】中国特許出願公開第１０７２５８２０２号明細書
【発明の概要】
【発明が解決しようとする課題】
【０００４】
本願発明は泥とじゃがいもとを初歩的に分離する掘り式のじゃがいも収穫機を提供し、従来技術における上記欠点を解消することを目的とする。
【課題を解決するための手段】
【０００５】
本願発明は以下の技術プランを通じて実現する：本願発明の実施例の泥とじゃがいもとを初歩的に分離する掘り式のじゃがいも収穫機は、収穫箱を含み、前記収穫箱の内部には二つのサポートロッドが前後対称にかつ回転可能に設置され、前後両側の前記サポートロッドには土かき板が固定的に取り付けられ、前後両側の前記サポートロッドの間には下方に開口した第一作動チャンバが設置され、前記第一作動チャンバの右側には第二作動チャンバが設置され、前記収穫箱の中には左方に開口した空チャンバーが設置され、前記空チャンバーの底壁の中には前記第二作動チャンバの底壁を貫通したネジ山ロッドが回転できるように取り付けられ、前記ネジ山ロッドには輸送板がネジ山により取り付けられ、前記空チャンバーの前後内壁には第三作動チャンバが連通するように設置され、前記第三作動チャンバの内部には前記輸送板がスライド可能に設置され、前記第二作動チャンバと前記第一作動チャンバとの間には前記土かき板を回転連動させると同時に前記輸送板を上下に移動させることができる動力機構が設置され、前記動力機構が前記土かき板と前記輸送板との土に入った部分の深さを調整することができ、前記土かき板が初歩的に土かきを行うことができ、それから前記輸送板により泥とじゃがいもとを前記空チャンバーの中に送り、
前記空チャンバーの中にはまた泥とじゃがいもとに輸送を行う輸送機構が設置され、前記輸送機構の下方には泥とじゃがいもとに分離を行うことができる分離機構が設置され、前記輸送機構が泥とじゃがいもとを輸送すると同時に前記分離機構を運転連動させることができ、それに前記収穫箱を移動連動させることができる。
【０００６】
上記の技術プランに基づいて、前記動力機構は第一ベベルギアと回転ロッドと第二ベベルギアと主動ロッドと第三ベベルギアと第四ベベルギアとに構成され、前記第一ベベルギアが前記ネジ山ロッドの頂面に固定的に取り付けられ、前記第二作動チャンバの左側内壁の中には前記収穫箱の左側面を貫通した前記回転ロッドが取り付けられ、前記回転ロッドの右側面には前記第二ベベルギアが固定的に取り付けられ、前記第二ベベルギアが前記第一ベベルギアと噛み合っており、前記回転ロッドの左側面には前記手動棒が固定的に取り付けられ、前記回転ロッドにおいて前記第一作動チャンバの中には前記第三ベベルギアが固定的に取り付けられ、後側の前記サポートロッドが前方に延びて前記第一作動チャンバの後側内壁を貫通し、後側の前記サポートロッドの前側面には前記第四ベベルギアが固定的に取り付けられ、前記第四ベベルギアが前記第三ベベルギアと噛み合っている。
【０００７】
上記の技術プランに基づいて、前記輸送機構はサポートチャンバーと輸送ロッドと伝動チャンバーと移動チャンバーとモーターと動力ロッドとロールと輸送ベルトとにより構成され、前記サポートチャンバーが前記空チャンバーの底壁に連通するように設置され、前記サポートチャンバーの前後内壁の間には前記輸送ロッドが回転できるように取り付けられ、前記空チャンバーの後側には前記伝動チャンバーが設置され、前記伝動チャンバーの後側には前記移動チャンバーが設置され、前記移動チャンバーの後側内壁の中には前記モーターが固定的に取り付けられ、前記モーターの前への出力軸の前側面には前記動力ロッドが固定的に取り付けられ、前記動力ロッドが前方に延びて前記伝動チャンバーを抜け且つ前記空チャンバーの前側内壁まで貫通し、前記動力ロッドと前記輸送ロッドにおいて前記空チャンバーの中には前記ロールが固定的に取り付けられ、左右両側の前記ロールの間には前記輸送ベルトが動力が伝達できるように取り付けられる。
【０００８】
上記の技術プランに基づいて、前後側面の間には移動ロッドが回転できるように取り付けられ、前記移動ロッドの前後側面には移動輪が固定的に取り付けられ、前記移動ロッドにおいて前記移動チャンバーの中には第二歯車が固定的に取り付けられ、前記動力ロッドにおいて前記移動チャンバーの中には第一歯車が固定的に取り付けられ、前記第一歯車と前記第二歯車との間には第一チェーンが動力が伝達できるように取り付けられる。
【０００９】
上記の技術プランに基づいて、前記分離機構は固定ブロックとバネチャンバーとスライドブロックと第一バネと分離網と推進チャンバーと推進ブロックと第二バネとスライドチャンバーと推進機構とにより構成され、前記固定ブロックが前記空チャンバーの前後内壁の間に固定的に取り付けられ、前記固定ブロックの中には右方に開口した前記バネチャンバーが設置され、前記バネチャンバーの中には前記スライドブロックがスライドできるように取り付けられ、前記スライドブロックの左側面と前記バネチャンバーとの間には前記第一バネが固定的に取り付けられ、前記スライドブロックには前記分離網がヒンジにより取り付けられ、前記空チャンバーの右側内壁の中には前記推進チャンバーが連通するように設置され、前記推進チャンバーの中には前記推進ブロックがスライドできるように取り付けられ、前記推進ブロックの右側面と前記推進チャンバーの右側内壁との間には前記第二バネが固定的に取り付けられ、前記推進ブロックの中には左方に開口した前記スライドチャンバーが設置され、前記分離網の右側面が前記スライドチャンバーの右側内壁と当接しており、前記推進チャンバーの上方には前記推進機構が設置されている。
【００１０】
上記の技術プランに基づいて、前記推進チャンバーの前後内壁の間には連結ブロックが固定的に取り付けられ、前記連結ブロックが前記スライドチャンバーとスライドできるように取り付けられ、前記分離網の底面には連結チャンバーが設置され、前記連結チャンバーが前記連結ブロックとスライドできるように取り付けられ、前記分離網の頂面と前記スライドチャンバーの頂壁との間には第三バネが固定的に取り付けられる。
【００１１】
上記の技術プランに基づいて、前記サポートチャンバーの右側には分離チャンバーが設置されている。
【００１２】
上記の技術プランに基づいて、前記推進機構はカムチャンバーと動力チャンバーと伝動ロッドとカムと第五ベベルギアと連結ロッドと第六ベベルギアと第三歯車と第四歯車と第二チェーンとにより構成され、前記カムチャンバーが前記推進チャンバーの右側に連通するように設置され、前記カムチャンバーの上方には前記動力チャンバーが設置され、前記動力チャンバーと前記カムチャンバーとの間には前記伝動ロッドが回転できるように取り付けられ、前記伝動ロッドの底面には前記カムが固定的に取り付けられ、前記伝動ロッドの頂面には前記第五ベベルギアが固定的に取り付けられ、前記動力チャンバーと前記伝動チャンバーとの間には前記連結ロッドが回転できるように取り付けられ、前記連結ロッドの前側面には前記第六ベベルギアが固定的に取り付けられ、前記第六ベベルギアが前記第五ベベルギアと噛み合っており、前記連結ロッドの後側面には前記第三歯車が固定的に取り付けられ、前記動力ロッドにおいて前記伝動チャンバーの中には前記第四歯車が固定的に取り付けられ、前記第四歯車と前記第三歯車との間には前記第二チェーンが動力が伝達できるように取り付けられる。
【００１３】
上記の技術プランに基づいて、前記収穫箱の底面には安定ロッドが固定的に取り付けられ、前記安定ロッドには安定輪が回転できるように取り付けられる。
【発明の効果】
【００１４】
本願発明の有益効果は：本願発明の泥とじゃがいもとを初歩的に分離する掘り式のじゃがいも収穫機の動力機構の中の回転ロッドが回転して土かき板を回転連動させ且つ輸送板を上下に移動連動させることができ、土かき板と輸送板との土に入った部分の深さを調整し、土の深いところに埋まったじゃがいもでも掘り出されられ、土かき板が輸送板の左側にあり、土かき板が初歩的な土かきを行い、輸送板が初歩的に土かきをされた後の泥とじゃがいもとを輸送機構により分離機構に送り、泥とじゃがいもとを分離機構の中で快速的に分離されることができるようにし、また、輸送機構と分離機構とが全部モーターにより動力を提供されており、輸送機構と分離機構が運転すると同時に移動輪を回転連動させ、移動輪が収穫箱を移動連動させ、大規模的にじゃがいもを掘ることができ、推進機構と連結ブロックとの協働のもとで、分離網を左右に振動させると同時に上下に振動させ、泥とじゃがいもとの分離を速め、普及に値する。
【図面の簡単な説明】
【００１５】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の構成模式図
【図２】図２は図１のＡ―Ａ方向の断面構成模式図
【図３】図３は図１のＢの拡大模式図
【図４】図４は図１のＣ―Ｃ方向の断面構成模式図
【図５】図５は図２のＤの拡大模式図
【図６】図６は図３のＥ―Ｅ方向の断面構成模式図
【図７】図７は本願発明の土かき板の左面構成模式図
【発明を実施するための形態】
【００１７】
本願発明の実施例の泥とじゃがいもとを初歩的に分離する掘り式のじゃがいも収穫機は、収穫箱１９を含み、前記収穫箱１９の内部には二つのサポートロッド１４が前後対称にかつ回転可能に設置され、前後両側の前記サポートロッド１４には土かき板２０が固定的に取り付けられ、前後両側の前記サポートロッド１４の間には下方に開口した第一作動チャンバ１６が設置され、前記第一作動チャンバ１６の右側には第二作動チャンバ２４が設置され、前記収穫箱１９の中には左方に開口した空チャンバー２６が設置され、前記空チャンバー２６の底壁の中には前記第二作動チャンバ２４の底壁を貫通したネジ山ロッド２１が回転できるように取り付けられ、前記ネジ山ロッド２１には輸送板２２がネジ山により取り付けられ、前記空チャンバー２６の前後内壁には第三作動チャンバ６６が連通するように設置され、前記第三作動チャンバ６６の内部には前記輸送板２２がスライド可能に設置され、前記第二作動チャンバ２４と前記第一作動チャンバ１６との間には前記土かき板２０を回転連動させると同時に前記輸送板２２を上下に移動させることができる動力機構１０１が設置され、前記動力機構１０１が前記土かき板２０と前記輸送板２２との土に入った部分の深さを調整することができ、前記土かき板２０が初歩的に土かきを行うことができ、それから前記輸送板２２により泥とじゃがいもとを前記空チャンバー２６の中に送り、前記空チャンバー２６の中にはまた泥とじゃがいもとに輸送を行う輸送機構１０２が設置され、前記輸送機構１０２の下方には泥とじゃがいもとに分離を行うことができる分離機構１０３が設置され、前記輸送機構１０２が泥とじゃがいもとを輸送すると同時に前記分離機構１０３を運転連動させることができ、それに前記収穫箱１９を移動連動させることができる。
【００１８】
また、もう一つの実施例において、前記動力機構１０１は前記ネジ山ロッド２１の頂面に固定的に取り付けられた第一ベベルギア２５を含み、前記第二作動チャンバ２４の左側内壁の中には前記収穫箱１９の左側面を貫通した回転ロッド１５が取り付けられ、前記回転ロッド１５の右側面には第二ベベルギア２３が固定的に取り付けられ、前記第二ベベルギア２３が前記第一ベベルギア２５と噛み合っており、前記回転ロッド１５の左側面には手動棒１１が固定的に取り付けられ、前記回転ロッド１５において前記第一作動チャンバ１６の中には第三ベベルギア１８が固定的に取り付けられ、後側の前記サポートロッド１４が前方に延びて前記第一作動チャンバ１６の後側内壁を貫通し、後側の前記サポートロッド１４の前側面には第四ベベルギア１７が固定的に取り付けられ、前記第四ベベルギア１７が前記第三ベベルギア１８と噛み合っており、それにより土かき板２０と輸送板２２との土に入った部分の深さに調整を行う必要があった時に、手動棒１１を回転させて回転ロッド１５を回転連動させ、回転ロッド１５が回転して第三ベベルギア１８と第二ベベルギア２３とを回転連動させ、第三ベベルギア１８が第四ベベルギア１７により後側のサポートロッド１４を回転連動させ、土かき板２０を回転連動させ、第二ベベルギア２３が第一ベベルギア２５と噛み合うことによりネジ山ロッド２１を回転連動させ、ネジ山ロッド２１が回転して輸送板２２を上下に移動連動させ、更に土かき板２０と輸送板２２の土に入った部分の深さを調整する。
【００１９】
また、もう一つの実施例において、前記輸送機構１０２は前記空チャンバー２６の底壁に連通するように設置されたサポートチャンバー３１を含み、前記サポートチャンバー３１の前後内壁の間には輸送ロッド２８が回転できるように取り付けられ、前記空チャンバー２６の後側には伝動チャンバー６１が設置され、前記伝動チャンバー６１の後側には移動チャンバー５９が設置され、前記移動チャンバー５９の後側内壁の中にはモーター６５が固定的に取り付けられ、前記モーター６５の前への出力軸の前側面には動力ロッド３８が固定的に取り付けられ、前記動力ロッド３８が前方に延びて前記伝動チャンバー６１を抜け且つ前記空チャンバー２６の前側内壁まで貫通し、前記動力ロッド３８と前記輸送ロッド２８において前記空チャンバー２６の中にはロール２９が固定的に取り付けられ、左右両側の前記ロール２９の間には輸送ベルト３０が動力が伝達できるように取り付けられ、それにより泥とじゃがいもとが輸送板２２を通過して輸送機構１０２に入った時に、モーター６５が始動して動力ロッド３８を回転連動させ、動力ロッド３８が回転して右側のロール２９を回転連動させ、輸送ベルト３０を回転連動させて泥とじゃがいもとを分離機構１０３の中に輸送する。
【００２０】
また、もう一つの実施例において、前記収穫箱１９の前後側面の間には移動ロッド３２が回転できるように取り付けられ、前記移動ロッド３２の前後側面には移動輪３３が固定的に取り付けられ、前記移動ロッド３２において前記移動チャンバー５９の中には第二歯車５８が固定的に取り付けられ、前記動力ロッド３８において前記移動チャンバー５９の中には第一歯車６４が固定的に取り付けられ、前記第一歯車６４と前記第二歯車５８との間には第一チェーン５７が動力が伝達できるように取り付けられ、それにより動力ロッド３８が回転した時に、動力ロッド３８が第一歯車６４を回転連動させ、第一歯車６４が第一チェーン５７により第二歯車５８を回転連動させ、第二歯車５８が回転して移動ロッド３２を回転連動させ、移動ロッド３２が回転して収穫箱１９を移動連動させる。
【００２１】
また、もう一つの実施例において、前記分離機構１０３は前記空チャンバー２６の前後内壁の間に固定的に取り付けられた固定ブロック３６を含み、前記固定ブロック３６の中には右方に開口したバネチャンバー３４が設置され、前記バネチャンバー３４の中にはスライドブロック３７がスライドできるように取り付けられ、前記スライドブロック３７の左側面と前記バネチャンバー３４との間には第一バネ３５が固定的に取り付けられ、前記スライドブロック３７には分離網３９がヒンジにより取り付けられ、前記空チャンバー２６の右側内壁の中には推進チャンバー４８が連通するように設置され、前記推進チャンバー４８の中には推進ブロック４７がスライドできるように取り付けられ、前記推進ブロック４７の右側面と前記推進チャンバー４８の右側内壁との間には第二バネ４９が固定的に取り付けられ、前記推進ブロック４７の中には左方に開口したスライドチャンバー４６が設置され、前記分離網３９の右側面が前記スライドチャンバー４６の右側内壁と当接しており、前記推進チャンバー４８の上方には推進機構１０４が設置され、前記推進機構１０４が間欠的に前記推進ブロック４７を左方に移動連動させ、推進ブロック４７を左右に振動させる。
【００２２】
また、もう一つの実施例において、前記推進チャンバー４８の前後内壁の間には連結ブロック４５が固定的に取り付けられ、前記連結ブロック４５が前記スライドチャンバー４６とスライドできるように取り付けられ、前記分離網３９の底面には連結チャンバー４４が設置され、前記連結チャンバー４４が前記連結ブロック４５とスライドできるように取り付けられ、前記分離網３９の頂面と前記スライドチャンバー４６の頂壁との間には第三バネ４３が固定的に取り付けられ、それにより推進機構１０４が推進ブロック４７を左方に移動連動させた時に、連結ブロック４５が連結チャンバー４４により分離網３９を上方に移動連動させ、分離網３９を左右に振動させながら上下に振動させ、泥とじゃがいもとを分離する。
【００２３】
また、もう一つの実施例において、前記サポートチャンバー３１の右側には分離チャンバー４０が設置され、分離機構１０３により分離された後の泥が分離網３９と分離チャンバー４０とを通過して地面に落ちる。
【００２４】
また、もう一つの実施例において、前記推進機構１０４は前記推進チャンバー４８の右側に連通するように設置されたカムチャンバー５１を含み、前記カムチャンバー５１の上方には動力チャンバー５４が設置され、前記動力チャンバー５４と前記カムチャンバー５１との間には伝動ロッド５２が回転できるように取り付けられ、前記伝動ロッド５２の底面にはカム５０が固定的に取り付けられ、前記伝動ロッド５２の頂面には第五ベベルギア５３が固定的に取り付けられ、前記動力チャンバー５４と前記伝動チャンバー６１との間には連結ロッド５５が回転できるように取り付けられ、前記連結ロッド５５の前側面には第六ベベルギア５６が固定的に取り付けられ、前記第六ベベルギア５６が前記第五ベベルギア５３と噛み合っており、前記連結ロッド５５の後側面には第三歯車４２が固定的に取り付けられ、前記動力ロッド３８において前記伝動チャンバー６１の中には第四歯車６０が固定的に取り付けられ、前記第四歯車６０と前記第三歯車４２との間には第二チェーン６２が動力が伝達できるように取り付けられ、それにより動力ロッド３８が回転した間に、動力ロッド３８が回転して第四歯車６０を回転連動させ、第四歯車６０が第二チェーン６２により第三歯車４２と連結ロッド５５とを回転連動させ、連結ロッド５５が回転して第六ベベルギア５６を回転連動させ、第六ベベルギア５６が第五ベベルギア５３により伝動ロッド５２とカム５０とを回転連動させ、カム５０が回転して間欠的に推進ブロック４７を左方に移動連動させる。
【００２５】
また、もう一つの実施例において、前記収穫箱１９の底面には安定ロッド１２が固定的に取り付けられ、前記安定ロッド１２には安定輪１３が回転できるように取り付けられ、前記安定輪１３が前記収穫箱１９を安定させる役割を持つ。
【００２６】
使う時に、土かき板２０と輸送板２２の土に入った部分の深さに調整を行う時に、手動棒１１を回転させて回転ロッド１５を回転連動させ、回転ロッド１５が回転して第三ベベルギア１８と第二ベベルギア２３とを回転連動させ、第三ベベルギア１８が第四ベベルギア１７により後側のサポートロッド１４を回転連動させ、土かき板２０を回転させ、第二ベベルギア２３が第一ベベルギア２５と噛み合うことによりネジ山ロッド２１を回転連動させ、ネジ山ロッド２１が回転して輸送板２２を上下に移動連動させ、更に土かき板２０と輸送板２２の土に入った部分の深さを調整し、泥とじゃがいもとが輸送板２２により輸送機構１０２に入った時に、モーター６５が始動して動力ロッド３８を回転連動させ、動力ロッド３８が回転して右側のロール２９を回転連動させ、輸送ベルト３０を回転させて泥とじゃがいもとを分離機構１０３の中に輸送させ、動力ロッド３８が回転した時に、動力ロッド３８が第一歯車６４を回転連動させ、第一歯車６４が第一チェーン５７により第二歯車５８を回転連動させ、第二歯車５８が回転して移動ロッド３２を回転連動させ、移動ロッド３２が回転して収穫箱１９を移動連動させ、動力ロッド３８が回転して第四歯車６０を回転連動させ、第四歯車６０が第二チェーン６２により第三歯車４２と連結ロッド５５とを回転連動させ、連結ロッド５５が回転して第六ベベルギア５６を回転連動させ、第六ベベルギア５６が第五ベベルギア５３により伝動ロッド５２とカム５０とを回転連動させ、カム５０が回転して間欠的に推進ブロック４７を左方に移動連動させ、推進ブロック４７が左方に移動した時に、連結ブロック４５が連結チャンバー４４により分離網３９を上方に移動連動させ、分離網３９を左右に振動させながら上下に振動させ、泥とじゃがいもとを分離し、泥が分離網３９と分離チャンバー４０とを通過して地面に落ちる。
【００２７】
本願発明の有益効果は：本願発明の泥とじゃがいもとを初歩的に分離する掘り式のじゃがいも収穫機の動力機構の中の回転ロッドが回転して土かき板を回転連動させ且つ輸送板を上下に移動連動させることができ、土かき板と輸送板との土に入った部分の深さを調整し、土の深いところに埋まったじゃがいもでも掘り出され、土かき板が輸送板の左側にあり、土かき板が初歩的な土かきを行い、輸送板が初歩的に土かきをされた後の泥とじゃがいもとを輸送機構により分離機構に送り、泥とじゃがいもとを分離機構の中で快速的に分離されることができるようにし、また、輸送機構と分離機構とが全部モーターにより動力を提供されており、輸送機構と分離機構が運転すると同時に移動輪を回転連動させ、移動輪が収穫箱を移動連動させ、大規模的にじゃがいもを掘ることができ、推進機構と連結ブロックとの協働のもとで、分離網を左右に振動させると同時に上下に振動させ、泥とじゃがいもとの分離を速め、普及に値する。
【００２８】
本分野の技術者が明確できるのは、本願発明の総体精神や発想から離脱しない場合で、以上の実施例に各種な変形ができ、それらの変形がすべて本願発明の保護範囲にある。本願発明の保護方案は本願発明の権利要求書を標準とすべきである。
【要約】
【課題】本願発明は泥とじゃがいもとを初歩的に分離する掘り式のじゃがいも収穫機を開示した。        
【解決手段】
本願発明の実施例の泥とじゃがいもとを初歩的に分離する掘り式のじゃがいも収穫機は、収穫箱を含み、前記収穫箱の前後側面の中にはサポートロッドが回転できるように取り付けられ、前後両側の前記サポートロッドには土かき板が固定的に取り付けられ、動力機構の中の回転ロッドが回転して土かき板を回転連動させ且つ輸送板を上下に移動連動させることができ、土かき板と輸送板との土に入った部分の深さを調整し、土かき板が初歩的な土かきを行い、輸送板が初歩的に土かきをされた後の泥とじゃがいもとを輸送機構により分離機構に送り、泥とじゃがいもとを分離機構の中で快速的に分離されることができるようにする。
【選択図】図１【図１】
0006752994.tif 000002
【図２】
0006752994.tif 000003
【図３】
0006752994.tif 000004
【図４】
0006752994.tif 000005
【図５】
0006752994.tif 000006
【図６】
0006752994.tif 000007
【図７】
0006752994.tif 000008